(57)【要約】      （修正有）【課題】開口部を安定して開けることができる医療用廃棄物収納袋を提供する。【解決手段】柔軟な合成樹脂製シートである裏面シート２と表面シート３を重ね合わせて周縁を溶着し、内部の収納領域Ａに医療用廃棄物を収納するものである。袋体１は、開口部４の下方に側方から窪ませたくびれ部５を有し、開口部４と収納領域Ａとの間に挿入路Ｂを有する。くびれ部５により開口部４を開くときに袋体１の側縁に変形する余裕を生み、側縁の突っ張りを防止して、開口部４を安定して広く開放することができる。【選択図】図１
0003220040.tif 000002
【実用新案登録請求の範囲】
【請求項１】
柔軟な合成樹脂製シートである裏面シートと表面シートを重ね合わせて周縁を溶着し、底部分にマチ部を有して内部を収納領域とするシート型収納袋であって、
前記収納領域に挿入路を介して通じる開口部と、該開口部から挿入路にかけて側方から窪ませたくびれ部を有することを特徴とするシート型医療用廃棄物収納袋。
【請求項２】
くびれ部は、袋体両側方において、開口部の上方から内方に直線状に傾斜する直線部分と、該直線部分の下端から湾曲する湾曲部分と、該湾曲部分の終端から水平方向となる水平部分を有し、
前記水平部分が収納領域の両側の上縁に位置することを特徴とする請求項１に記載のシート型医療用廃棄物収納袋。
【請求項３】
表面シートに形成される開口部に溶着する引き紐を設け、
前記表面シートの挿入路にあたる位置にも前記引き紐と溶着する第二溶着部分を有することを特徴とする請求項２に記載のシート型医療用廃棄物収納袋。
【請求項４】
第二溶着部分は挿入路の幅方向中央に位置し、袋体の長手方向に直線状に形成され、前記第二溶着部分は側方のくびれ部の直線部分から水平部分よりも下方に至るまで形成されていることを特徴とする請求項３に記載のシート型医療用廃棄物収納袋。
【考案の詳細な説明】
【技術分野】
【０００１】
本考案は、使用済のオートインジェクタなどの医療用廃棄物を収納するシート状袋の構造に関する考案である。
【背景技術】
【０００２】
リュウマチなどの治療のため、オートインジェクタと呼ばれる使い捨て注射器によって患者自身が日常的に注射を行っている。使用したオートインジェクタは廃棄物として安全に収容して、医療機関で回収している。ペン型注射器の廃棄容器として特許文献１には、柔軟な合成樹脂製シートである裏面シートと表面シートを重ね合わせて周縁を溶着する収納袋を開示している。この収納袋は表面シート先方にマチを形成し、該マチの折り返し部分に医療用廃棄物を通過させる貫通孔を設けている。また、特許文献２には、表面シートと裏面シートの間に中シートを配置して重ね合わせて溶着するとともに、開口部の下方にハの字状に溶着した開口部融着部を設けている。このようなものでは、マチや開口部融着部により医療用廃棄物を投入する開口部を広く開くようにして、医療用廃棄物を袋に収容して安全に扱うことを可能にしている。
【先行技術文献】
【特許文献】
【０００３】
【特許文献１】実用新案登録第３２０５１５６号公報
【特許文献２】実用新案登録第３２１２０６４号公報
【考案の概要】
【考案が解決しようとする課題】
【０００４】
ところが、特許文献１、２の医療用廃棄物収納袋はマチや中シートによる疑似的なマチに医療用廃棄物が引っ掛かり、スムースな挿入が困難になることがあった。また、周縁融着部により開口部が突っ張り、リュウマチ患者などには開口部を十分に開放できず、挿入が困難になることがあった。
【０００５】
そこで、本考案は、開口部を安定して広く開放することができる医療用廃棄物収納袋を提供するものである。
【課題を解決するための手段】
【０００６】
本考案のシート型医療用廃棄物収納袋は、柔軟な合成樹脂製シートである裏面シートと表面シートを重ね合わせて周縁を溶着し、底部分にマチ部を有して内部を収納領域とするシート型収納袋であって、前記収納領域に挿入路を介して通じる開口部と、該開口部から挿入路にかけて側方から窪ませたくびれ部を有することを特徴とする。
【０００７】
また、くびれ部は、袋体両側方において、開口部の上方から内方に直線状に傾斜する直線部分と、該直線部分の下端から湾曲する湾曲部分と、該湾曲部分の終端から水平方向となる水平部分を有し、前記水平部分が収納領域の両側の上縁に位置することが好ましい。
【０００８】
また、表面シートに形成される開口部に溶着する引き紐を設け、前記表面シートの挿入路にあたる位置にも前記引き紐と溶着する第二溶着部分を有することが好ましい。
【０００９】
また、第二溶着部分は挿入路の幅方向中央に位置し、袋体の長手方向に直線状に形成され、前記第二溶着部分は側方のくびれ部の直線部分から水平部分よりも下方に至るまで形成されていることが好ましい。
【考案の効果】
【００１０】
請求項１記載の考案により、くびれ部により表面シート及び裏面シートからなる袋体の側縁に余裕を設け、内部に収納領域と挿入路を形成することができ、開口部の開放による袋体の変形にくびれ部の変形を追従させて側縁の突っ張りを防止して、開口部を安定して広く開放することができる。
【００１１】
請求項２記載の考案により、開口部から湾曲部分に至る側縁の傾斜により医療用廃棄物をスムースに湾曲部分の間にガイドすることができる。これに加え、開口部の開放がしっかりしない場合に、使用者がくびれ部を持って握ることで開口部及び挿入路の開放を確実にし、その状態を容易に視認することができる。
【００１２】
請求項３記載の考案により、引き紐によりくびれ部周辺の表面シートを安定して変形させることができて、挿入路を確実に開放することができる。
【００１３】
請求項４記載の考案により、第二溶着部分が挿入路に形成され、かつ、収納領域に至るまで形成されていることにより、引き紐の引っ張りにより挿入路を確実に開放することができる。
【図面の簡単な説明】
【００１４】
【図１】本考案の実施形態のシート型医療用廃棄物収納袋の全体正面図である。
【図２】医療用廃棄物収納袋の全体側面図である。
【図３】開口部を開放した医療用廃棄物収納袋の開口部周辺の正面図である。
【図４】図３の医療用廃棄物収納袋に医療用廃棄物を挿入する状態を模式的に示すＸ−Ｘ線断面図である。
【図５】医療用廃棄物を収納した医療用廃棄物収納袋の全体正面図である。
【考案を実施するための形態】
【００１５】
本考案の実施形態について説明する。本説明において、図１の紙面上を上方、紙面下を下方、紙面手前を表側、紙面奥を裏側として説明する。
【００１６】
本実施形態にかかる医療用廃棄物収納袋は、図１、２に示すように、二枚の柔軟な合成樹脂製シートを重ね合わせて内部に収納領域Ａを有するシート型の袋体１としている。すなわち、上下方向を長手方向とする裏面シート２と、裏面シート２と同じ幅方向長さ（図１の左右方向長さ）を有する表面シート３とを重ね合わせて、左右の側縁及び下縁を溶着して長方形状の袋体１としている。袋体１は、長手方向の下端部分（底部分）に折り返しによるマチ部１６を形成し、所定容量の収納を可能としている。
【００１７】
このマチ部１６により収納領域Ａを大きくすることができるが、通常状態ではシート状（平板状）の袋体１である。すなわち、表面シート３と裏面シート２とを重ね合わせただけの厚みとなり、マチ部１６周辺に至ってもマチ部１６を形成するための折り返しがある程度の厚みとなる。使用状態で、袋体１は例えばオートインジェクタなどの医療用廃棄物２０を２本収納可能とする収納領域Ａを有する。
【００１８】
本説明において、収納領域Ａは袋体１の底を底縁として、後述するくびれ部５、５の水平部分８を上縁とする部分を示すものである。また、挿入路Ｂとは、開口部４から収納領域Ａに至る部分であり、くびれ部５、５により先細り状に形成された部分を示すものである。
【００１９】
裏面シート２は、表面シート３の上縁（開口部４）よりも長手方向に長く形成されており、上部分が後述する折り返し蓋１４となる。表面シート３の上縁は、裏面シート２と溶着されておらず、この部分を開口部４として、収納領域Ａに医療用廃棄物２０を挿入可能としている。開口部４の左右方向の幅は袋体１の左右方向の幅よりも短くして、例えば袋体１の幅を１２１ｍｍ、開口部４は外観の幅を１００ｍｍ、開口部４の溶着部分を除く開口範囲の幅を９８ｍｍとしている。
【００２０】
袋体１は、開口部４のすぐ上方から下方にかけて両側方から幅方向内側に窪ませたくびれ部５、５を有している。すなわち、このくびれ部５、５は、袋体１の両側方から幅方向内側へ直線状に切り込む直線部分６、６と、この直線部分６、６の下端から湾曲する湾曲部分７、７と、湾曲部分７、７の終端（下端）から両側方へ向けて水平方向となる水平部分８を有している。具体的には、くびれ部５、５の水平部分８、８は、開口部４から２０ｍｍ下方に位置して、両側（左右両方）に設けている。くびれ部５、５の最もくびれた位置（湾曲部分７、７）は、袋体１の側縁から２０ｍｍ左右内側に窪むように形成されている。
【００２１】
くびれ部５、５が形成されることにより、開口部４から収納領域Ａまでの挿入路Ｂを形成することができる。すなわち、このくびれ部５、５により、開口部４から収納領域Ａまでに一端内部が狭まるように形成するとともに、くびれ部５、５の水平部分８、８が収納領域Ａの上端を明確にし、収納領域Ａそれ自体が略長方形状の袋体とするようにしている。
【００２２】
くびれ部５、５の湾曲部分７、７を有することにより、袋体１の側縁に余裕を設けることができ、開口部４の開放による袋体１の変形にくびれ部５、５の変形を追従させている。この追従により側縁の突っ張りなどの障害を生じさせずに開口部４を開放（変形）することができて、開口部４を広くかつ安定して開放可能としている。そして、くびれ部５、５により挿入路Ｂの側縁の長さを開口部４から収納領域Ａの上端までの上下方向の距離よりも長くして、開口部４やくびれ部５、５を変形しやすくしている。また、開口部４の左右の幅よりも、くびれ部５、５により左右の幅を狭めることにより、収納した医療用廃棄物２０の逆戻りや横倒し姿勢で医療用廃棄物２０を収納することを防止している。
【００２３】
表面シート３の開口部４には、開口部４を開くための引き紐９を設けている。引き紐９は上端を表面シート３の上縁（開口部４）に溶着により固定して、下方に延設した略方形状の平板状のシートである。引き紐９は帯状の柔軟な合成樹脂製シートからなり、左右の幅を５５ｍｍとして、袋体１のくびれ部５、５の間の最も狭い部位の寸法（６６ｍｍ）よりも短く形成している。
【００２４】
引き紐９は長手方向に延長したものであり、袋体１の長手方向中央付近に至るまで、その先端（下端）が位置するように延長されている。引き紐９の下端部分には指掛け部１０として円形の貫通孔を有している。
【００２５】
引き紐９は表面シート３の上縁（開口部４）で溶着されているが、これに加えて表面シート３のくびれ部５、５を有する部位に第二溶着部分１１を有している。第二溶着部分１１は引き紐９を表面シート３に固定して、引き紐９の表面シート３への固定を補強している。第二溶着部分１１は挿入路Ｂの左右の幅の中央に位置して、上下方向に沿う一直線形状に形成している。第二溶着部分１１は上下方向の寸法を２５ｍｍとして、くびれ部５の湾曲部分７の上端から下端の付近に位置するように上下方向の寸法（１５ｍｍ）よりも長くしている。この第二溶着部分１１の下端は、くびれ部５、５の水平部分８よりも若干下方に位置させており、引き紐９を引っ張ったときに、挿入路Ｂを適切に開放することができる。
【００２６】
また、引き紐９は第二溶着部分１１を有する部位の左右に内方に窪んだ曲線部１２、１２を設けて、引き紐９の側縁を上下方向に沿う一直線形状ではなく第二溶着部分１１の位置に曲線を有する形状としている。曲線部１２、１２は上下方向の寸法を第二溶着部分１１の上下方向の寸法と同じとしている。
【００２７】
裏面シート２は表面シート３よりも上下に長尺に形成して、開口部４よりも上方に突出している。裏面シート２の突出する部位は開口部４よりも上方に折り曲げ部分１５を有して、折り返し蓋１４としている。折り返し蓋１４を表面シート３側に折り返して、開口部４を覆うことができる。
【００２８】
折り曲げ部分１５は開口部４から約６ｍｍ程度の余裕しろを介して（上方にずれて）位置しており、折り曲げ部分１５に折り癖を生じても開口部４に干渉し難くしている。そして、開口部４の上端を形成する部位から折り曲げ部分１５に至る側縁を挿入路Ｂの側縁と一直線上に並ぶ傾斜した直線形状（直線部分６）として、開口部４を開放するときなどに開口部４の左右端部に力が集中して挿入路Ｂが破損することを防止している。
【００２９】
折り返し蓋１４は係止手段により開口部４を覆う状態で表面シート２に係止される。係止手段は左右に並ぶ面ファスナー１３、１３からなり、開口部４よりも下方で袋体１の側縁近傍にそれぞれ配置している。面ファスナー１３、１３は折り返し蓋１４の先端（折り返した状態の下端）よりも上方に位置して、この折り返し蓋１４の先端は指掛け部１０の上端と略同じ高さに位置している。
【００３０】
収納する医療用廃棄物２０として使用済のオートインジェクタを用いた場合を例として、本実施形態の医療用廃棄物収納袋の使用方法を説明する。まず、図１に示す折り返し蓋１４を係止した状態から、表面シート３と折り返し蓋１４の間に下方から手を挿し入れて面ファスナー１３、１３の係止を解除して、折り返し蓋１４を上方に戻して、開口部４を露出させる。なお、指掛け部１０に指を通して引き紐９を前方に持ち上げて、面ファスナー１３、１３の係止を解いてもよい。
【００３１】
次いで、図３に示すように、指掛け部１０に指を通して、引き紐９を下方に引っ張り、開口部４を大きく開放させる。このように引き紐９により手指が不自由な患者であっても容易に開口部４を大きく開放することができる。そして、曲線部１２、１２により引き紐９は挿入路Ｂと重なる部位を錐形状に開いた挿入路Ｂに追従して突っ張らずに変形して、第二溶着部分１１が開口部４の開放を妨げることがない。
【００３２】
開放した開口部４に使用済の医療用廃棄物２０を挿入して、この医療用廃棄物２０を挿入路Ｂから収納領域Ａに収納することができる。このとき、くびれ部５、５の直線部分６、６や湾曲部分７、７により引っ掛かりを防止して下方にガイドして、医療用廃棄物２０の挿入をスムースにしている。
【００３３】
通常の使用形態は上記のとおりであるが、引き紐９を引っ張って開口部４がしっかりと広く開放しない場合、使用者が両側のくびれ部５、５を手にもって握ることで開口部４を開放させ、かつ開放状態を容易に視認することが可能になる。このくびれ部５、５は開口部４の開放を補助する機能を有する。
【００３４】
医療用廃棄物２０を袋内に配置した状態で、図５に示すように、折り返し蓋１４を折り返し、面ファスナー１３、１３により折り返し蓋１４を係止することで収納作業が完了する。そして、くびれ部５、５や水平部分８、８により収納した医療用廃棄物２０の左右内側への移動（開口部４側への逆戻り）を抑制して、２本目の医療用廃棄物２０を挿入するときなどに先に収納した医療用廃棄物２０が邪魔になり難くしている。
【符号の説明】
【００３５】
１…袋体、２…裏面シート、３…表面シート、４…開口部、５…くびれ部、６…直線部分、７…湾曲部分、８…水平部分、９…引き紐、１０…指掛け部、１１…第二溶着部分、１２…曲線部、１３…面ファスナー（係止手段）、１４…折り返し蓋、１５…折り曲げ部分、１６…マチ部、２０…医療用廃棄物、Ａ…収納領域、Ｂ…挿入路。
【図１】
0003220040.tif 000003
【図２】
0003220040.tif 000004
【図３】
0003220040.tif 000005
【図４】
0003220040.tif 000006
【図５】
0003220040.tif 000007